(57)【要約】【課題】  アップリンクにおいて無線リソースを有効利用しつつ、隣接セクタ間の干渉の影響を低減することができる無線送受信装置を提供する。【解決手段】  セクタ内の無線基地局として用いられ、セルエッジ用アップリンクスケジューラ４１とセル中心用アップリンクスケジューラ４２とを備え、セルエッジＭＳとセル中心ＭＳとに対して独立してアップリンクのスケジューリングを行い、セルエッジ用アップリンクスケジューラ４１は、セルエッジＭＳに対して隣接するセクタのセルエッジＭＳとは異なる周波数帯域を用い、セル中心用アップリンクスケジューラ４２は、同一セクタ内のセルエッジＭＳとは異なる周波数帯域を用いて、それぞれアップリンクサブフレームの先頭から順次、データバーストの番号と当該データバーストに含まれるスロット数とを指定するマッピングを行う無線送受信装置としている。【選択図】        図２
2010074471.tif 000002
【特許請求の範囲】
【請求項１】
デジタル無線システムにおいてセクタ毎に設けられた無線基地局装置として用いられる無線送受信装置であって、
セクタ内の移動局を、通信品質に基づいて、通信品質の低いセルエッジグループと通信品質の高いセル中心グループとに分けるセルエッジ判定部と、
前記セルエッジグループに対するアップリンクのスケジューリングを行うセルエッジ用アップリンクスケジューラと、
前記セル中心グループに対するアップリンクのスケジューリングを行うセル中心用アップリンクスケジューラとを備え、
前記セルエッジ用アップリンクスケジューラが、セルエッジグループが使用するセルエッジ用周波数帯域として、当該セクタに隣接するセクタのセルエッジ用周波数帯域とは異なる帯域が設定されており、前記スケジューリング結果に基づいて、送信機会が与えられた移動局に無線周波数を割り当てるマッピングを行う際に、前記設定されているセルエッジ用周波数帯域を使用して、アップリンクサブフレームの先頭から順次、データバーストの番号と当該データバーストに含まれるスロット数とを指定するマッピングを行い、
前記セル中心用アップリンクスケジューラが、セル中心グループが使用するセル中心用周波数帯域として、同一セクタのセルエッジ用周波数帯域以外の帯域が設定されており、前記スケジューリング結果に基づいてマッピングを行う際に、前記セル中心用周波数帯域を使用して、アップリンクサブフレームの先頭から順次、データバーストの番号と当該データバーストに含まれるスロット数とを指定するマッピングを行うことを特徴とする無線送受信装置。
【発明の詳細な説明】
【技術分野】
【０００１】
本発明は、デジタル無線通信システムにおける無線送受信装置に係り、特に隣接セクタ間の干渉を低減すると共に、無線リソースの有効利用を図ることができる無線送受信装置に関する。
【背景技術】
【０００２】
［先行技術の説明］
近年、信頼性が高く且つ高速なデータ通信に対する要求が高まっており、例えば、Ｗ−ＣＤＭＡやＣＤＭＡ２０００等で代表される３Ｇ移動通信システムやＷｉＭＡＸ（Worldwide Interoperability for Microwave Access）等の通信方式が開発されている。
【０００３】
これらのシステムにおいては、運用する広範囲なエリアを分割してセクタ化し、各セクタをカバーするように指向性を持ったアンテナを備えた無線基地局（ＢＳ：Base Station）を配置する。そして、各セクタ内の移動無線端末（ＭＳ：Mobile Station）との通信を実現させるようになっている。
【０００４】
また、ＭＳの配置によって、ＢＳからの無線送信信号の品質が異なり、その無線品質の違いにより、ＭＳを２つのグループ（無線品質の基準値を満たすセル中心グループと無線品質の基準値を満たさないセルエッジグループ）に分け、各グループに独立した無線リソースを割り当て、それぞれのグループ内のＭＳ同士で無線リソースを共有させるＦＦＲ（Fractional Frequency Resource）という技術がある。
【０００５】
［従来の無線送受信装置の構成：図６］
次に、従来の無線送受信装置の構成について図６を用いて説明する。図６は、従来の無線送受信装置の構成を示す構成ブロック図である。
無線送受信装置１はＢＳに相当するものであり、無線送受信装置２はＭＳに相当するものである。
【０００６】
［従来の無線送受信装置（ＢＳ）］
従来のＢＳとして機能する無線送受信装置は、図６に示すように、ダウンリンクスケジューラ１１と、アップリンクスケジューラ１２と、１次変調部１３と、ＯＦＤＭ（Orthogonal Frequency Division Multiplexing：直交周波数分割多重）変調部１４と、ＲＦ部１５と、アンテナ１６と、ＯＦＤＭ復調部１７と、Ｃ／Ｎ情報検出部１８と、Ｃ／Ｎ情報平滑化部１９と、セルエッジ判定部２０とを有している。
【０００７】
［従来の無線送受信装置（ＭＳ）］
従来のＭＳとして機能する無線送受信装置における受信機能は、図２に示すように、アンテナ２１と、ＲＦ部２２と、ＯＦＤＭ復調部２３と、ＤＬ−ＭＡＰ復調器２４と、ＵＬ−ＭＡＰ復調器２５と、Ｃ／Ｎ検出部２６と、１次変調部２７と、ＯＦＤＭ変調部２８とを有している。
【０００８】
［従来の無線送受信装置（ＢＳ）における送信時の動作］
従来の無線送受信装置（ＢＳ）における送信時の動作について説明する。
ＢＳに相当する無線送受信装置１に、１台以上のＭＳ宛送信データがダウンリンクスケジューラ１１に入力されると、ダウンリンクスケジューラ１１は、スケジューリング方式に従ってＢＳからＭＳへの送信データの無線フレーム内の配置場所情報（「ＤＬ−ＭＡＰ」と称する）を決定するマッピングを行い、ＭＳ宛の送信データとＤＬ−ＭＡＰとを１次変調部１３に出力する。
【０００９】
また、それと同じタイミングで、アップリンクスケジューラ１２は、スケジューリング方式に従って、ＭＳからＢＳへ送信する際の送信データの無線フレーム内の配置場所（「ＵＬ−ＭＡＰ」と称する）を決定するマッピングを行い、一次変調部１３に出力する。
【００１０】
１次変調部１３は、送信すべき送信データを入力し、サブキャリア毎の一次変調信号を出力する。
ＯＦＤＭ変調部１４は、逆高速フーリエ変換（ＩＦＦＴ：Inverse Fast Fourier Transform）により、周波数信号から時間軸信号へ直交変換を行い、ベースバンド信号として出力する。
そして、ベースバンド信号は、ＲＦ部１５にて無線周波数信号に変換され、アンテナ１６により空間出力される。
【００１１】
［従来の無線送受信装置（ＭＳ）における動作］
従来の無線送受信装置（ＭＳ）における動作について説明する。
ＭＳに相当する無線送受信装置２では、受信時には、アンテナ２１にて無線周波数信号を受信し、ＲＦ部２２にてベースバンド信号に変換する。
ＯＦＤＭ復調部２３は、ベースバンド信号を高速フーリエ変換（ＦＦＴ：Fast Fourier Transform）によりサブキャリア毎の受信変調信号に変換し、変換した受信変調信号のＤＬ−ＭＡＰ部分とＵＬ−ＭＡＰ部分とを復調して、ＤＬ−ＭＡＰ部分をＤＬ−ＭＡＰ復調器２４に出力すると共に、ＵＬ−ＭＡＰ部分をＵＬ−ＭＡＰ復調器２５に出力する。
【００１２】
ＤＬ−ＭＡＰ復調器２４は、入力されたＤＬ−ＭＡＰから、自己宛のデータ配置を解読し、その解読情報をＯＦＤＭ復調部２３に出力する。
そして、ＯＦＤＭ復調部２３は、取得した自己宛のデータ配置に基づいて、自己宛のデータのみを復調し、受信データとして出力すると共に、変換した受信変調信号をＣ／Ｎ検出部２６に出力する。
【００１３】
ＵＬ−ＭＡＰ復調器２５は、入力されたＵＬ−ＭＡＰから、送信すべきＭＳ情報と、送信する場合のデータ配置を解読し、一次変調部２７に出力する。
Ｃ／Ｎ検出部２６は、受信変調信号の品質を測定し、ＢＳからＭＳ方向（ダウンリンク方向）のＣ／Ｎ情報を１次変調部２７に通知する。
【００１４】
送信時には、１次変調部２７は、ＵＬ−ＭＡＰ解読情報に基づいて、通知されたＣ／Ｎ情報とＭＳからＢＳ方向（アップリンク方向）の送信データを一次変調し、サブキャリア毎の一次変調信号をＯＦＤＭ変調部２８に出力する。
【００１５】
ＯＦＤＭ変調部２８では、ＦＦＴにより周波数信号から時間軸信号に直交変換を行い、ベースバンド信号とし、ＲＦ部２２にて無線周波数信号に変換し、アンテナ２１よりアップリンク方向の空間出力を行う。
【００１６】
［無線送受信装置（ＢＳ）における受信時の動作］
次に、無線送受信装置（ＢＳ）における受信時の動作について説明する。
ＭＳから送信されたアップリンク方向の空間出力は、ＢＳに相当する無線送受信装置１のアンテナ１６で受信され、ＲＦ部１５でベースバンド信号に変換され、ＯＦＤＭ復調部１７でＦＦＴによりアップリンク方向のサブキャリア毎の周波数信号に変換され、復調されて受信データとして出力される。また、復調データは、Ｃ／Ｎ情報検出部１８に出力されて、ＭＳで検出したダウンリンク方向のＣ／Ｎ情報が検出される。
【００１７】
［セルエッジ判定方法］
次に、セルエッジ判定方法について説明する。
無線送受信装置１のＣ／Ｎ情報平滑部１９は、Ｃ／Ｎ情報検出部１８からのＣ／Ｎ情報をＭＳ毎に平滑化し、平滑化Ｃ／Ｎ情報をセルエッジ判定部２０に出力する。
セルエッジ判定部２０は、内部に保持されているセルエッジ判定閾値と、ＭＳ毎の平滑化Ｃ／Ｎ情報とを比較し、平滑化Ｃ／Ｎ情報＜セルエッジ判定閾値のときは、当該ＭＳをセルエッジグループと判定し、平滑化Ｃ／Ｎ情報≧セルエッジ判定閾値のときは、当該ＭＳをセル中心グループと判定する。その判定結果は、ダウンリンクスケジューラ１１に通知され、スケジューリングに使用される。
【００１８】
［隣接セクタの構成：図７］
隣接セクタの構成について図７を参照しながら説明する。図７は、隣接セクタの構成図である。
図７には、セクタアンテナで３セクタにセル分割された場合の隣接セクタ配置を示している。この図では、同一セクタが隣接しないことを表現している。
【００１９】
［セルエッジグループとセル中心グループの分布例：図８］
また、セルエッジグループとセル中心グループの分布について図８を参照しながら説明する。図８は、セルエッジグループとセル中心グループの分布例を示す図である。
セルエッジグループは、ＢＳからの距離が遠く、セクタアンテナの中心から外れた領域に分布する。セル中心グループは、ＢＳからの距離が近く、セクタアンテナの中心方向に近い領域に分布する。
【００２０】
［無線フレーム構成：図９］
次に、無線フレーム構成について図９を参照しながら説明する。図９は、無線フレーム構成図である。
図９に示す無線フレームは、ＦＦＲ適用時のＯＦＤＭマッピング領域の使用例を示している。縦軸が周波数軸で、横軸が時間軸となっており、更に図９では、ＴＤＤ（Time Division Duplex）方式の場合を示し、ダウンリンクサブフレーム区間がＢＳからＭＳへの送信区間、アップリンクフレーム区間がＭＳからＢＳへの送信区間を示している。
【００２１】
ダウンリンクサブフレーム区間の内、プリアンブル区間は、ＭＳがＢＳとの無線同期確立を行うための情報が送信される区間である。
ＭＡＰ情報区間は、セクタ内の全ＭＳへデータバーストの配置情報などの制御メッセージを送信する区間である。
セルエッジ区間は、セルエッジＭＳへ送信するデータバーストが配置される区間である。
セル中心区間は、セル中心ＭＳへ送信するデータバーストが配置される区間である。
【００２２】
更に、ダウンリンクサブフレーム区間は、ＭＡＰ情報区間とセルエッジ区間では、全周波数帯域を３等分したそれぞれの帯域を各々のセクタが使用し、セル中心区間では、３セクタ共通で全帯域を使用する。
セルエッジグループは、上述した配置条件であるため、隣接セクタＢＳの送信信号からの干渉の影響を受けやすい。そのため、セルエッジグループでは、隣接セクタ同士で異なる周波数帯域を使用するものである。
また、セル中心グループは、隣接セクタＢＳの送信信号に対して干渉の影響を受けにくい。そのため、隣接セクタ同士で共通の周波数帯域を使用する。
このように、ＦＦＲでは、干渉の影響を低減しつつ無線リソースの有効利用を図るようにしている。
【００２３】
［各セクタのダウンリンクサブフレーム使用例：図１０］
図９に示したフレーム構成における各セクタのダウンリンクサブフレームの使用例について図１０を用いて説明する。図１０は、セクタ毎のダウンリンクサブフレームの使用例を示す模式説明図である。
図１０の例では、セクタ１は、ＭＡＰ情報区間では、周波数ｆ2〜ｆ3の帯域を使用してセクタ１内の全てのＭＳ宛のＭＡＰ情報が送信される。セルエッジ区間では、周波数ｆ2〜ｆ3の帯域を使用してセクタ１内のセルエッジＭＳ宛のデータバーストが送信される。
従って、ＭＡＰ情報区間とセルエッジ区間では、周波数ｆ0〜ｆ2の帯域は未使用領域となる。
セル中心区間では、周波数ｆ0〜ｆ3の帯域を使用して、セクタ１内のセル中心ＭＳ宛のデータバーストが送信される。
【００２４】
同様に、セクタ２では、ＭＡＰ情報区間とセルエッジ区間では周波数ｆ1〜ｆ2の帯域を使用して、セル中心区間では周波数ｆ0〜ｆ3の帯域を使用する。ＭＡＰ情報区間とセルエッジ区間では、周波数ｆ2〜ｆ3の帯域と周波数ｆ0〜ｆ1の帯域は未使用領域となる。
セクタ３では、ＭＡＰ情報区間とセルエッジ区間では周波数ｆ0〜ｆ1の帯域を使用して、セル中心区間では周波数ｆ0〜ｆ3の帯域を使用する。ＭＡＰ情報区間とセルエッジ区間では、周波数ｆ1〜ｆ3の帯域は未使用領域となる。
【００２５】
［アップリンクサブフレーム区間の使用例：図１１］
次に、アップリンクフレーム区間の使用例について図１１を用いて説明する。図１１は、アップリンクフレーム区間の使用例を示す模式説明図である。
ＷｉＭＡＸにおいて、アップリンクでは、ＦＦＲのような干渉回避方式がなく、図１１に示すように、各セクタ毎にスケジューリング結果の優先順番の高いＭＳのバーストから順に、サブチャネル番号の０番から順次割り当てられる。
図１１の例では、優先順番の高いＭＳ５から順に、サブチャネルが割り当てられている。
【００２６】
尚、関連する先行技術として、特開２００７−２５８８４４号公報（特許文献１）がある。
特許文献１には、無線アクセスネットワーク装置において、移動局がセル端の地域に属するか否かを判別し、セル端の移動局にセル端周波数を割り当て、セル端以外の地域のユーザにセル端周波数とは異なる非セル端周波数を割り当てることが記載されている。
【００２７】
【特許文献１】特開２００７−２５８８４４号公報
【発明の開示】
【発明が解決しようとする課題】
【００２８】
しかしながら、従来の無線送受信装置では、アップリンクではダウンリンクよりも複雑なセクタ間干渉が発生する。
ダウンリンクはＢＳが送信するため、セクタ内のある１点における隣接セクタからの干渉を想定することは可能である。しかし、アップリンクでは、隣接セクタ内のどのＭＳが送信するかが不明な状態で干渉を受けるので、その無線送信したＭＳと自セクタＢＳとの位置関係によって干渉レベルは広範囲に及ぶことがある。
【００２９】
［アップリンクでのセクタ間干渉の例：図１２］
干渉の例について図１２を用いて説明する。図１２は、アップリンクでのセクタ間干渉の例を示す説明図である。
図１２では、最も干渉レベルが大きくなる２セクタ２ＭＳの関係を示している。セクタ１のＭＳ１は、セルエッジに位置しているので、セクタ１のＢＳ１への無線通信品質はあまり良くない。一方、セクタ６のセルエッジに位置しているＭＳ６は、ＢＳ１に正対しているので、ＢＳ１におけるＭＳ６の無線送信波の受信レベルは、ＭＳ１の送信波受信レベルよりも高くなってしまう。
【００３０】
更に、１つのセクタには６つの隣接セクタがあり、各セクタが独立してスケジューリングしていることを考えると、無線フレーム周期での干渉レベルの変動は一層大きくなる。
また、アップリンク通信において、適応変調機能や送信電力制御を行うシステムでは、更に干渉レベルの変動は大きくなる。
このように、従来の無線送受信装置では、アップリンクサブフレーム区間において隣接セクタのＭＳによる干渉の影響を受けやすいという問題点があった。
【００３１】
［従来の別のアップリンクサブフレーム使用例：図１３］
図１３を用いて従来の別の方式について説明する。図１３は、従来の別のアップリンクサブフレーム方式を示す模式説明図である。
図１３に示す従来の方式（Ｒｅｕｓｅ  Ｆａｃｔｏｒ３）では、３つのセクタ間で、使用周波数を完全に使い分けるようにしており、これにより干渉を回避することができるものである。
しかしながら、従来の別の方式では、各セクタ当たりの使用無線周波数が全帯域の３分の１となってしまうため、干渉の影響が小さい場合であっても常に無線リソースが３分の１となり、セクタスループットが著しく低下してしまうという問題点があった。
【００３２】
本発明は、上記実状に鑑みて為されたもので、アップリンクにおいて無線リソースを有効利用しつつ、隣接セクタ間の干渉の影響を低減することができる無線送受信装置を提供することを目的とする。
【課題を解決するための手段】
【００３３】
上記従来例の問題点を解決するための本発明は、デジタル無線システムにおいてセクタ毎に設けられた無線基地局装置として用いられる無線送受信装置であって、セクタ内の移動局を、通信品質に基づいて、通信品質の低いセルエッジグループと通信品質の高いセル中心グループとに分けるセルエッジ判定部と、セルエッジグループに対するアップリンクのスケジューリングを行うセルエッジ用アップリンクスケジューラと、セル中心グループに対するアップリンクのスケジューリングを行うセル中心用アップリンクスケジューラとを備え、セルエッジ用アップリンクスケジューラが、セルエッジグループが使用するセルエッジ用周波数帯域として、当該セクタに隣接するセクタのセルエッジ用周波数帯域とは異なる帯域が設定されており、スケジューリング結果に基づいて、送信機会が与えられた移動局に無線周波数を割り当てるマッピングを行う際に、設定されているセルエッジ用周波数帯域を使用して、アップリンクサブフレームの先頭から順次、データバーストの番号と当該データバーストに含まれるスロット数とを指定するマッピングを行い、セル中心用アップリンクスケジューラが、セル中心グループが使用するセル中心用周波数帯域として、同一セクタのセルエッジ用周波数帯域以外の帯域が設定されており、スケジューリング結果に基づいてマッピングを行う際に、セル中心用周波数帯域を使用して、アップリンクサブフレームの先頭から順次、データバーストの番号と当該データバーストに含まれるスロット数とを指定するマッピングを行うことを特徴としている。
【発明の効果】
【００３４】
本発明によれば、セクタ内の移動局を、通信品質に基づいて、通信品質の低いセルエッジグループと通信品質の高いセル中心グループとに分けるセルエッジ判定部と、セルエッジグループに対するアップリンクのスケジューリングを行うセルエッジ用アップリンクスケジューラと、セル中心グループに対するアップリンクのスケジューリングを行うセル中心用アップリンクスケジューラとを備え、セルエッジ用アップリンクスケジューラが、セルエッジグループが使用するセルエッジ用周波数帯域として、当該セクタに隣接するセクタのセルエッジ用周波数帯域とは異なる帯域が設定されており、スケジューリング結果に基づいて、送信機会が与えられた移動局に無線周波数を割り当てるマッピングを行う際に、設定されているセルエッジ用周波数帯域を使用して、アップリンクサブフレームの先頭から順次、データバーストの番号と当該データバーストに含まれるスロット数とを指定するマッピングを行い、セル中心用アップリンクスケジューラが、セル中心グループが使用するセル中心用周波数帯域として、同一セクタのセルエッジ用周波数帯域以外の帯域が設定されており、スケジューリング結果に基づいてマッピングを行う際に、セル中心用周波数帯域を使用して、アップリンクサブフレームの先頭から順次、データバーストの番号と当該データバーストに含まれるスロット数とを指定するマッピングを行う無線送受信装置としているので、隣接セクタのセルエッジの移動局同士が異なる周波数帯域で送信することにより、隣接セクタ間の干渉を大幅に低減することができ、また、セル中心グループの移動局は隣接セクタで周波数帯域を共有することにより、無線リソースを有効利用することができる効果がある。
【発明を実施するための最良の形態】
【００３５】
［発明の概要］
本発明の実施の形態について図面を参照しながら説明する。
本発明の実施の形態に係る無線送受信装置は、ＢＳとして機能し、セクタ内のＭＳを、通信品質に基づいて、セルエッジグループとセル中心グループとに分け、アップリンクサブフレームのスケジューリングを行うアップリンクスケジューラが、セルエッジのＭＳが使用するセルエッジ用周波数帯域として、当該セクタに隣接するセクタのセルエッジのＭＳが使用する周波数帯域とは異なる帯域が設定され、セル中心のＭＳが使用するセル中心用周波数帯域として、同一セクタ内のセルエッジのＭＳが使用する周波数帯域以外の帯域が設定されており、それぞれのグループについてアップリンクサブフレーム区間のスケジューリングを独立して行い、当該スケジュール結果に基づいて、セルエッジのＭＳにはセルエッジ用周波数帯域を用い、セル中心のＭＳにはセル中心用周波数帯域を用いて、アップリンクサブフレームの先頭から順に、データバーストの番号とスロット数とを指定して送信機会が与えられたＭＳに無線周波数を割り当てるマッピングを行うものであり、アップリンクにおいて無線リソースを有効利用しつつ、隣接セクタ間の干渉の影響を低減することができるものである。
【００３６】
［本無線送受信装置の構成：図１］
本発明の実施の形態に係る無線送受信装置の構成について図１を用いて説明する。図１は、本発明の実施の形態に係る無線送受信装置（本装置）の構成ブロック図である。尚、ＭＳ側の装置は図６と同じであるため、ここではＢＳ側のみについて説明する。
図１に示すように、ＢＳとして機能する本装置３は、図６に示した従来の無線送受信装置と同様の部分として、ダウンリンクスケジューラ３１と、一時変調部３３と、ＯＦＤＭ変調部３４と、ＲＦ部３５と、アンテナ３６と、ＯＦＤＭ復調部３７と、Ｃ／Ｎ情報検出部３８と、Ｃ／Ｎ情報平滑化部３９と、セルエッジ判定部４０とを備え、本装置の特徴部分として、セルエッジ用アップリンクスケジュ−ラ４１と、セル中心用アップリンクスケジューラ４２とを備えている。
尚、従来と同様の部分は、構成及び動作が従来と同じであるため説明を省略する。
【００３７】
［セルエッジ用アップリンクスケジューラ４１，セル中心用アップリンクスケジューラ４２］
本装置の特徴部分について説明する。
本装置の特徴部分であるセルエッジ用アップリンクスケジューラ４１及びセル中心用アップリンクスケジューラ４２は、セルエッジ判定部４０から出力されるセルエッジ／セル中心判定結果に基づいて、それぞれ、セルエッジグループとセル中心グループに対して、ＭＳからＢＳへ送信するアップリンクサブフレーム区間のスケジューリングを独立して行うものである。
【００３８】
セルエッジ用アップリンクスケジューラ４１は、セルエッジ／セル中心判定結果がセルエッジであった場合に、セルエッジ用のアップリンク区間のスケジューリングを行う。
また、セル中心用アップリンクスケジューラ４２は、セルエッジ／セル中心判定結果がセル中心であった場合に、セル中心用のアップリンク区間のスケジューリングを行う。
【００３９】
本装置では、図６に示した従来のアップリンク用スケジューラ１２を、セルエッジ用とセル中心用とに分けて、セクタ毎にセルエッジ用の周波数帯域とセル中心用の周波数帯域をあらかじめ設定しておき、セルエッジ用アップリンクスケジューラ４１はセルエッジ用の周波数帯域を用いて周波数を割り当てるマッピングを行い、セル中心用アップリンクスケジューラ４２はセル中心用の帯域を用いてマッピングするようにしている。セルエッジ用アップリンクスケジューラ４１とセル中心用アップリンクスケジューラ４２を、ひとつのアップリンクスケジューラの中の別々の処理手段として構成することも可能である。
【００４０】
本装置の特徴として、各セクタのＢＳのセルエッジ用アップリンクスケジューラ４１には、隣接するセクタのセルエッジ用の周波数帯域と重ならないように、セルエッジ用周波数帯域が設定されている。
更に、セル中心用アップリンクスケジューラ４２には、同一セクタ内のセルエッジ用の周波数帯域と重ならないように、セル中心用の周波数帯域が設定されている。
【００４１】
セルエッジ用アップリンクスケジューラ４１及びセル中心用アップリンクスケジューラ４２で生成されたマッピングデータは、従来と同様に一時変調部３３、ＯＦＤＭ変調部３４を介して、ダウンリンクサブフレーム区間のＭＡＰ情報区間においてＵＬ−ＭＡＰとして各ＭＳに送信されるようになっている。
【００４２】
［アップリンクサブフレームの使用例：図２］
次に、各セクタにおけるアップリンクサブフレームの使用例について図２を用いて具体的に説明する。図２は、各セクタでＢＳとして機能する本装置のアップリンクサブフレームの使用例を示す模式説明図である。
図２に示すように、セクタ１では、周波数ｆ2〜ｆ3の帯域をセルエッジＭＳのデータバースト用に使用し、セルエッジ用の帯域を除いた周波数ｆ0〜ｆ2の帯域をセル中心ＭＳのデータバースト用に使用する。
すなわち、セクタ１の無線送受信装置のセルエッジ用アップリンクスケジューラ４１には、使用可能な周波数帯域（セルエッジ用周波数帯域）として周波数ｆ2〜ｆ3の帯域が予め設定されており、セル中心用アップリンクスケジューラ４２には、使用可能な周波数帯域（セル中心用周波数帯域）として周波数ｆ0〜ｆ2の帯域が予め設定されている。
【００４３】
同様に、セクタ２では、周波数ｆ1〜ｆ2の帯域をセルエッジＭＳのデータバースト用に使用し、周波数ｆ2〜ｆ3と周波数ｆ0〜ｆ1の帯域をセル中心ＭＳのデータバースト用に使用する。
すなわち、セクタ２の無線送受信装置のセルエッジ用アップリンクスケジューラ４１には、使用可能な周波数帯域として周波数ｆ1〜ｆ2の帯域が予め設定されており、セル中心用アップリンクスケジューラ４２には、使用可能な周波数帯域として周波数ｆ2〜ｆ3と周波数ｆ0〜ｆ1の帯域が予め設定されている。
【００４４】
さらに、セクタ３では、周波数ｆ0〜ｆ1の帯域をセルエッジＭＳのデータバースト用に使用し、周波数ｆ1〜ｆ3の帯域をセル中心ＭＳのデータバースト用に使用する。
セクタ３の無線送受信装置のセルエッジ用アップリンクスケジューラ４１には、使用可能な周波数帯域として周波数ｆ0〜ｆ1の帯域が予め設定されており、セル中心用アップリンクスケジューラ４２には、使用可能な周波数帯域として周波数ｆ1〜ｆ3の帯域が予め設定されている。
【００４５】
つまり、本装置では、同一セクタ内のアップリンクサブフレーム区間において、セルエッジＭＳとセル中心ＭＳとにそれぞれ異なる周波数帯域を割り当てることによりアップリンクにおけるセクタ内での干渉を防ぐと共に、隣接するセクタ１，２，３のセルエッジＭＳ同士が、それぞれ異なる周波数帯域を使用するように周波数帯域を割り当てているため、アップリンクにおける隣接セクタ間の干渉の影響を受けにくくすることができるものである。たとえば、図１２に示したような状況になっても、ＭＳ１とＭＳ６とは異なる周波数を用いているので、干渉を受けにくいものである。
また、互いに干渉を受けにくいセル中心ＭＳのデータバーストを、セクタ１〜３で共通とすることにより、無線リソースを有効に利用することができるものである。
【００４６】
ＭＳ側の無線送受信装置は、従来と同様にＵＬ−ＭＡＰで指定されたデータ配置でＢＳ宛無線送信すればよく、特別な仕様の変更は不要である。
【００４７】
［ダウンリンクとアップリンクのバースト配置：図３］
上述したように、無線フレームに対してのデータ配置（マッピング）は、ＢＳ側の装置において、ダウンリンク（ＤＬ）についてはダウンリンクスケジューラ３１が決定し、アップリンク（ＵＬ）については、セルエッジ用アップリンクスケジューラ４１と、セル中心用アップリンクスケジューラ４２とが決定する。
マッピングはフレーム周期で変更可能であり、決定されたＭＡＰ情報はＭＡＰ情報区間においてＭＳに送信される。
ＭＳは、ＭＡＰ情報を受信して、ＤＬ，ＵＬそれぞれの処理を実行する。すなわち、ＤＬでは、自己宛のＤＬデータの配置を識別し、そのＤＬデータをデコードする。ＵＬでは、自己が送信することを指定された配置で、ＵＬデータを送信する。
【００４８】
ダウンリンクとアップリンクのデータバーストの配置について図３を用いて説明する。図３は、ダウンリンクとアップリンクのデータバーストの配置の例を示す模式説明図である。図３に示すように、ＤＬでは、マッピングされるデータ単位（バースト）は、矩形であるため、当該バーストの左上の起点の情報（ＯＦＤＭシンボル番号及び周波数番号）と、当該バーストのＯＦＤＭシンボル数及び周波数幅がＭＡＰ情報として指定され、当該矩形領域が特定される。ここで、バースト＃１はセクタ１のセルエッジＭＳのバーストであり、バースト＃２はセクタ２のセルエッジＭＳのバーストであり、バースト＃３はセクタ３のセルエッジＭＳのバーストであり、バースト＃４は、全セクタ共通のセル中心ＭＳのバーストとなっている。
【００４９】
一方、ＵＬでは、３ＯＦＤＭシンボル×１周波数チャネルを１スロットとし、１フレーム中にマッピングするバーストを、順番にスロット単位で指定していく。すなわち、ＵＬではＤＬのようにマッピング配置を２次元的に指定するのではなく、アップリンクサブフレームの先頭から順に、複数バーストについて１次元的に順番とデータサイズとを指定するものである。
【００５０】
そして、本装置では、図２に示したようにセクタ毎に、収容されるＭＳをセルエッジグループとセル中心グループとに分けて、それぞれ、セルエッジ用アップリンクスケジューラ４１とセル中心用アップリンクスケジューラ４２とが、スケジュール結果に基づいて、送信機会を与えられたＭＳに周波数を割り当てるマッピングを、予め設定された周波数帯域で行う。
すなわち、本装置のセルエッジ用アップリンクスケジューラ４１及びセル中心用アップリンクスケジューラ４２は、ダウンリンクスケジューラ３１とは全く異なる方法でバーストを指定するものである。
【００５１】
［ＤＬのＭＡＰ情報：図４］
次に、図３に示したＤＬのＭＡＰ情報について図４を用いて具体的に説明する。図４は、図３に示したＤＬのＭＡＰ情報を示す説明図である。
図４に示すように、ＤＬのＭＡＰ情報では、バースト毎に、起点となるＯＦＤＭシンボル番号と、周波数番号と、ＯＦＤＭシンボル数と、周波数幅とをＭＡＰ情報として指定する。ここでは、バースト＃１〜バースト＃４についてのマップ情報がダウンリンクのマップ情報として送信される。
【００５２】
［ＵＬのＭＡＰ情報：図５］
次に、図３に示したＵＬのＭＡＰ情報について図５を用いて説明する。図５は、図３に示したＵＬのＭＡＰ情報を示す説明図である。
図３に示すように、ＵＬのＭＡＰ情報は、ＤＬとは異なり、バースト毎に番号とスロット数を指定したものである。
すなわち、本装置のセルエッジ用アップリンクスケジューラ４１及びセル中心用アップリンクスケジューラ４２では、セクタ毎に、セルエッジ判定部４０で判定されたセルエッジかセル中心かの判定結果に基づいて、図２に示した周波数設定に適合するように、バーストを割り当てるマッピングを行う。
【００５３】
たとえば、セクタ１のセル中心ＭＳであればセル中心用アップリンクスケジューラ４２が、周波数ｆ0〜ｆ2の帯域で、バーストの順番とスロットの数を当該周波数帯域の先頭から順に一次元的に指定するものである。
また、セクタ１のセルエッジＭＳであれば、セルエッジ用アップリンクスケジューラ４１が、周波数ｆ2〜ｆ3の帯域でバーストの順番とスロット数とを指定する。
【００５４】
そして、このようなＭＡＰ情報を受信したＭＳは、たとえばバースト＃３を指定された場合、バースト１及びバースト２のスロット数を合計し、その直後からバースト３として送信するよう、送信処理を行う。この処理は、従来と同様であり、受信したＭＡＰ情報に基づいて、図６に示したＵＬ−ＭＡＰ復調器２５が行うものである。
【００５５】
［実施の形態の効果］
本発明の実施の形態に係る無線送受信装置によれば、ＢＳとして機能し、セクタ内に存在するＭＳからのＣ／Ｎ情報に基づいて、各ＭＳがセルエッジに位置するかセル中心に位置するかを判定するセルエッジ判定部４０と、各セクタ毎にセルエッジＭＳのアップリンクサブフレーム区間のスケジュールを決定するセルエッジ用アップリンクスケジューラ４１と、セル中心ＭＳのアップリンク区間のスケジュールを決定するセル中心用アップリンクスケジューラ４２とを設けて、それぞれセルエッジグループとセル中心グループとに対して独立してスケジューリングを行い、セルエッジ用アップリンクスケジューラ４１に、セルエッジ用周波数帯域として、当該セクタに隣接するセクタのセルエッジのＭＳが使用する周波数帯域とは異なる帯域が設定されており、スケジューリング結果に基づいて送信機会が与えられたセルエッジのＭＳに無線周波数を割り当てるマッピングを行う際に、セルエッジ用周波数帯域を用いてアップリンクサブフレームの先頭から順次、データバーストの番号と当該データバーストに含まれるスロット数とを指定するマッピングを行い、セル中心用アップリンクスケジューラ４２に、セル中心用周波数帯域として、同一セクタ内のセルエッジのＭＳが使用する周波数帯域以外の帯域が設定されており、スケジューリング結果に基づいてマッピングを行う際に、セル中心用周波数帯域を用いてアップリンクサブフレームの先頭から順次、データバーストの番号と当該データバーストに含まれるスロット数とを指定するマッピングを行う無線送受信装置としているので、セルエッジのＭＳは、隣接するセクタのＭＳとは異なる周波数帯域を使用することにより隣接セクタ間の干渉を大幅に低減してセクタスループットを向上させることができ、また、セル中心のＭＳは、周波数帯域をセクタ間で共有することにより無線リソースの有効利用を図ることができる効果がある。
【００５６】
また、本装置によれば、アップリンク通信での適応変調機能や送信電力制御の機能を備えているシステムにおいても、隣接セクタ間干渉を抑制する効果があり、セクタスループットを向上させることができる効果がある。
【産業上の利用可能性】
【００５７】
本発明は、アップリンクにおいて無線リソースを有効利用しつつ、隣接セクタ間の干渉の影響を低減することができる無線送受信装置に適している。
【図面の簡単な説明】
【００５８】
【図１】本発明の実施の形態に係る無線送受信装置（本装置）の構成ブロック図である。
【図２】各セクタでＢＳとして機能する本装置のアップリンクサブフレームの使用例を示す模式説明図である。
【図３】ダウンリンクとアップリンクのデータバーストの配置の例を示す模式説明図である。
【図４】図３に示したＤＬのＭＡＰ情報を示す説明図である。
【図５】図３に示したＵＬのＭＡＰ情報を示す説明図である。
【図６】従来の無線送受信装置の構成を示す構成ブロック図である。
【図７】隣接セクタの構成図である。
【図８】セルエッジグループとセル中心グループの分布例を示す図である。
【図９】無線フレーム構成図である。
【図１０】セクタ毎のダウンリンクサブフレームの使用例を示す模式説明図である。
【図１１】アップリンクフレーム区間の使用例を示す模式説明図である。
【図１２】アップリンクでのセクタ間干渉の例を示す説明図である。
【図１３】従来の別のアップリンクサブフレーム方式を示す模式説明図である。
【符号の説明】
【００５９】
１１，３１…ダウンリンクスケジューラ、  １２…アップリンクスケジューラ、  １３，３３…１次変調部、  １４，３４…ＯＦＤＭ変調部、  １５，３５…ＲＦ部、  １６，３６…アンテナ、  １７，３７…ＯＦＤＭ復調部、  １８，３８…Ｃ／Ｎ情報検出部、  １９，３９…Ｃ／Ｎ情報平滑部、  ２０，４０…セルエッジ判定部、  ２１…アンテナ、  ２２…ＲＦ部、  ２３…ＯＦＤＭ復調部、  ２４…ＤＬ−ＭＡＰ復調器、  ２５…ＵＬ−ＭＡＰ復調器、  ２６…Ｃ／Ｎ検出部、  ２７…１次変調部、  ２８…ＯＦＤＭ変調部、  ４１…セルエッジ用アップリンクスケジューラ、  ４２…セル中心用アップリンクスケジューラ
【図１】
2010074471.tif 000003
【図２】
2010074471.tif 000004
【図３】
2010074471.tif 000005
【図４】
2010074471.tif 000006
【図５】
2010074471.tif 000007
【図６】
2010074471.tif 000008
【図７】
2010074471.tif 000009
【図８】
2010074471.tif 000010
【図９】
2010074471.tif 000011
【図１０】
2010074471.tif 000012
【図１１】
2010074471.tif 000013
【図１２】
2010074471.tif 000014
【図１３】
2010074471.tif 000015